(57)【特許請求の範囲】
【請求項１】
男子用小便器の前方床面の立ち位置に設置される小便飛散防止マットであって、マット本体の上面に、略足型形状であって爪先方向に向かうに従って凹部深さが増すように傾斜した足型凹部と、略足型形状であって踵方向に向かうに従って凹部深さが増すように傾斜した足型凹部と、を一対に設けて成り、
前記足型凹部と略同一形状であって、厚みが傾斜して形成される弾性スポンジ体を前記足型凹部に夫々嵌め込み、マット本体の上端面と弾性スポンジ体の上面とを平坦としたことを特徴とする小便飛散防止マット。
【請求項２】
男子用小便器の前方床面の立ち位置に設置される小便飛散防止マットであって、略足型形状を成す一対のマット本体から成り、一方のマット本体の上面が爪先方向に向かうに従って厚みが増すように傾斜するとともに、他方のマット本体の上面が踵方向に向かうに従って厚みが増すように傾斜するように構成されて成り、
前記略足型形状と平面視において略同一形状であって、厚みが傾斜して形成される弾性スポンジ体を前記マット本体の上面に夫々貼付け、マット本体の下端面と弾性スポンジ体の上面とを略水平としたことを特徴とする小便飛散防止マット。
【発明の詳細な説明】
【技術分野】
【０００１】
本発明は、男子用小便器の前方床面の立ち位置に設置される小便飛散防止マットに関するものである。
【背景技術】
【０００２】
従来の小便飛散防止構造は、男子用小便器の手前側の床面を被覆するように敷設して飛散した小便を効率よく清掃することを目的とする小便マットと、男子用小便器に小便が飛散しないようにすること目的とする小便マットとがある。
【０００３】
上記の小便を効率よく清掃することを目的とする小便マットとしては、例えば、マットの素材が吸水紙等から構成され、少なくても便器手前側の床面を被覆するように敷設される「小便の雫取りマット」（特許文献１参照）提案されている。
【０００４】
しかしながら、該「小便の雫取りマット」（特許文献１参照）は、マットの構成を吸水性紙もしくは吸水性層と非吸水性層の二重構造からなる男子用小便器の小水立ち位置に設置されるシート状の小便マット構造の提案であって、小便の飛散を防止する小便マットではないため、使用者が小便マット自体に乗らないで小便を行ったりして、小便器ならびに近傍の床面を小便の飛泡で汚すことがあった。
【０００５】
また、上記の小便が飛散しないようにすること目的とする小便マットとしては、例えば、床面と壁面とを有するトイレ室内に設置された小便用トイレ装置において、壁面に設けられた小便器と、小便器近傍の床面に設置された踏段とを備え、踏段上段は床面から３０ｍｍ乃至１００ｍｍの高さを有し、踏段の後部に、踏段の一方の側方から他方の側方へ延びるとともに、踏段上段から上方に持ち上がる突出部を設けた「小便用トイレ装置および踏段」（特許文献２参照）が提案されている。
【０００６】
しかしながら、該「小便用トイレ装置および踏段」（特許文献２参照）は、老人や子供が踏段を踏み外す危険性があると共に、設置された踏段の位置まで前に出て小便を足す姿勢が取り辛い（男性性器または放尿される小便を視認できないくらい前にでる姿勢）ものであった。
【０００７】
本発明者は、以上のような小便マットが持つ問題点を鑑み、使用者の一方の立ち脚の重心を前方に掛け、他方の立ち脚の重心を後方に掛けた状態で小便をする姿勢を採ることによって、小便の終了時に腰が惹けない姿勢となるため、男子用小便器を汚すことがない点に着目し、男子用小便器の小便立ち位置に本発明の小便飛散防止マットを設置することで男子用小便器の汚れ防止に効果があることを実験的に確信し、本発明における小便飛散防止マットの提案に至るものである。
【０００８】
【特許文献１】特開２００２-１６５７２９号公報
【特許文献２】特開２００９-２７９１２１号公報
【発明の概要】
【発明が解決しようとする課題】
【０００９】
本発明は、男子用小便器の前方床面の立ち位置に設けられる小便飛散防止マットを提供することを目的とするものである。
【課題を解決するための手段】
【００１０】
上記目的を達成するため、請求項１に記載の発明は、男子用小便器の前方床面の立ち位置に設置される小便飛散防止マットであって、マット本体の上面に、略足型形状であって爪先方向に向かうに従って凹部深さが増すように傾斜した足型凹部と、略足型形状であって踵方向に向かうに従って凹部深さが増すように傾斜した足型凹部と、を一対に設けた構成となっている。
【００１１】
さらに、請求項１に記載の発明は、前記小便飛散防止マットにおいて、前記足型凹部と略同一形状であって、厚みが傾斜して形成される弾性スポンジ体を前記足型凹部に夫々嵌め込み、マット本体の上端面と弾性スポンジ体の上面とを平坦とした構成となっている。
【００１２】
またさらに、請求項２に記載の発明は、男子用小便器の前方床面の立ち位置に設置される小便飛散防止マットであって、略足型形状を成す一対のマット本体から成り、一方のマット本体の上面が爪先方向に向かうに従って厚みが増すように傾斜するとともに、他方のマット本体の上面が踵方向に向かうに従って厚みが増すように傾斜するように構成されている。
【００１３】
そしてまた、請求項２に記載の発明は、前記小便飛散防止マットにおいて、前記略足型形状と平面視において略同一形状であって、厚みが傾斜して形成される弾性スポンジ体を前記マット本体の上面に夫々貼付け、マット本体の下端面と弾性スポンジ体の上面とを略水平とした構成となっている。
【発明の効果】
【００１４】
本発明にかかる小便飛散防止マットによれば、使用者の一方の立ち脚の重心を前方に掛け、他方の立ち脚の重心を後方に掛けた状態で小便をする姿勢を採ることによって、小便の終了時に腰が惹けないため、男子用小便器を汚すことがないといった優れた効果を奏するものである。
【００１５】
また、本発明にかかる小便飛散防止マットによれば、厚みが傾斜状に形成される弾性スポンジ体を、足型凹部に嵌め込み若しくはマット本体上面に貼付けることによって、上端面が平坦状になることにより、使用者がつまずいたり、踏み外したりする危険を回避することが可能である。
【図面の簡単な説明】
【００１６】
【図１】本発明の小便飛散防止マットの使用状態を示す全体説明図である。（実施例１）
【図２】本発明の小便飛散防止マットの請求項１記載の実施形態を示す説明図である。（実施例２）
【図３】本発明の小便飛散防止マットの請求項２記載の実施形態を示す説明図である。（実施例３）
【発明を実施するための形態】
【００１７】
本発明にかかる小便飛散防止マットは、男子用小便器の前方床面の立ち位置において、その床面構造が、使用者の左右いずれか一方の足が爪先方向に向かうに従って上方へ傾斜するとともに、他方の足が踵方向に向かうに従って上方へ傾斜するように構成されていることを最大の特徴とする。以下、本発明にかかる小便飛散防止マットの実施形態を、図面に基づき実施例ごとに詳細に説明する。
【００１８】
なお、本発明は、形状や寸法等、下記の実施形態に特に限定されるものではなく、本発明の技術的思想の要旨に逸脱しない範囲で任意に変更することができる。
【実施例１】
【００１９】
図１は、本発明の小便飛散防止マット１の使用状態を示す全体説明図であり、図１（ａ）は全体斜視図、図１（ｂ）は使用状態側面図である。
本発明にかかる小便飛散防止マット１は、男子用小便器Ｂの前方床面の立ち位置において、使用者の左右いずれか一方の足が爪先方向に向かうに従って上方へ傾斜するように構成され、また、該使用者の他方の足が踵方向に向かうに従って上方へ傾斜するように構成されている構造となっている。
【００２０】
かかる小便飛散防止マット１を使用することで、小便の際に、一方の足が爪先方向に向かうに従って上方へ傾斜するとともに、他方の足が踵方向に向かうに従って上方へ傾斜する態勢を採ることが可能となる。
すまわち、男子用小便器の小便立ち位置に設置される小便飛散防止マット１は、後述する実施例２にかかる小便飛散防止マット１であって、男子用小便器Ｂの前方の床面における適正な立ち位置に使用者が立つことによって小便Ｓが飛散しないようなマット構造で形成されている。
【実施例２】
【００２１】
図２は、本発明の小便飛散防止マットの請求項１記載の実施形態を示す説明図であり、図２（ａ）はマット本体の構成を示す全体斜視図、図２（ｂ）は一方の略足型形状の足型凹部１１ａを示す断面図、図２（ｃ）は他方の略足型形状の足型凹部１１ｂを示す断面図である。
マット本体１０は、上面に設けられる小便立ち位置を形成する最大で約１．５ｃｍの深さを有する略足型形状の足型凹部１１ａ、１１ｂが一対に設けられ、約６０ｃｍ×５０ｃｍ略矩形の一部が男子用小便器Ｂの形状に繰り抜かれ、約３ｃｍの厚みを有する合成樹脂製のマットと、略足型形状の弾性スポンジ体１２で形成されている。
【００２２】
足型凹部１１ａは、図２（ｂ）に示すように、マット本体１０の立ち位置に略足型形状を有した凹部に、爪先方向に向かうに従って厚みが増すように傾斜した弾性スポンジ体１２が嵌め込まれる形状で形成されている。
【００２３】
また、足型凹部１１ｂは、図２（ｃ）に示すように、マット本体１０の立ち位置に略足型形状を有した凹部に、踵方向に向かうに従って増すように傾斜した弾性スポンジ体１２が嵌め込まれる形状で形成されている。
【００２４】
弾性スポンジ体１２は、略足型形状の足型凹部１１ａ、１１ｂに嵌め込まれる形状、すなわち該足型凹部１１ａ、１１ｂと略同一形状に形成され、厚みは、最大で約１．５ｃｍを有し、傾斜した形状で形成されている。
【００２５】
以上のように、小便立ち位置を形成する略足型形状の足型凹部１１ａ、１１ｂに、厚みが傾斜した弾性スポンジ体１２を嵌め込むことによってマット本体の上端面が平坦になるため、使用の際には、つまずいたり踏み外したりしない形状を有するものである。
【実施例３】
【００２６】
図３は、本発明の小便飛散防止マットの請求項２記載の実施形態を示す説明図であり、図３（ａ）は全体斜視図、図３（ｂ）及び図３（ｃ）は断面図である。
図３（ａ）に示すように、マット本体２０は、一対であって略足型形状を成しており、一方のマット本体２０ａの上面が爪先方向に向かうに従って厚みが増すように傾斜するとともに、他方のマット本体２０ｂの上面が踵方向に向かうに従って厚みが増すように傾斜する構成となっている。各マット本体２０における傾斜の高低差は最大で約１．５ｃｍとなっており、該高低差がそのまま全体厚みとなっている。そして、マット本体２０全体は、合成樹脂製のマットで形成されている。
【００２７】
以上のように、一方の上面が爪先方向に傾斜するとともに、他方の上面が踵方向に傾斜するように構成されたマット本体２０を、男子用小便器の小便立ち位置に設置することによって、一方の立ち脚は前方に重心を掛け、他方の立ち脚は後方に重心を掛けた状態で小便Ｓを足す姿勢を採ることとなり、小便終了時に腰が惹けない姿勢状態となるため、男子用小便器Ｂの前面を汚すことがないものである。
【００２８】
なお、図３（ｂ）及び（ｃ）に示すように、上記一対のマット本体２０の上面には、爪先部分と踵部分の厚みが異なるように傾斜した弾性スポンジ体２２を貼付ける構成を採用し得る。すなわち、爪先方向に向かうに従って厚みが増すように傾斜したマット本体２０ａの上面には、踵方向に向かうに従って厚みが増すように傾斜した弾性スポンジ体２２が貼付けられ、逆に踵方向に向かうに従って厚みが増すように傾斜したマット本体２０ｂの上面には、爪先方向に向かうに従って厚みが増すように傾斜した弾性スポンジ体２２が貼付けられる。これにより、側面視において、マット本体の下端面と弾性スポンジ体の上面とが略水平状となる。
【００２９】
弾性スポンジ体２２は、前記略足型形状と平面視において略同一形状であって、厚みは、最大で約１．５ｃｍを有し、傾斜した形状で形成されている。
【００３０】
以上のように、小便立ち位置を形成する一対のマット本体２０の上面に、夫々傾斜した弾性スポンジ体２２を貼付けることによって、全体として上端面が平坦になるため、使用の際には、つまずいたり踏み外したりしない形状を有するものである。
【産業上の利用可能性】
【００３１】
本発明は、男子用小便器の小便飛散防止マットとして提案しているが、男女共用の洋式便器のマットとしても使用することが可能である。また、本発明にかかる小便飛散防止マットの技術的思想は、既存便器に敷設するマットとしてだけでなく、家庭用若しくは公衆用トイレの建設段階において当初から便器前方床面に組み込んでしまう構成も考え得ることから、本発明の産業上の利用可能性は非常に高いものと解する。
【符号の説明】
【００３２】
１    小便飛散防止マット
１０    マット本体
１１    足型凹部
１２    弾性スポンジ体
２０    マット本体
２２    弾性スポンジ体
Ｂ    男子用小便器
Ｓ    小便
【図１】
0005566279.tif 000002
【図２】
0005566279.tif 000003
【図３】
0005566279.tif 000004